(57)【特許請求の範囲】
【請求項１】
記録媒体に対向する媒体対向面と、
前記記録媒体に記録する情報に応じた磁界を発生する第１および第２のコイルと、
前記媒体対向面に配置された端面を有し、前記第１および第２のコイルによって発生された磁界に対応する磁束を通過させると共に、垂直磁気記録方式によって前記情報を前記記録媒体に記録するための記録磁界を発生する主磁極と、
磁性材料よりなり、前記媒体対向面において前記主磁極の前記端面に対して前記記録媒体の進行方向の前側に配置された端面を有する第１のシールドと、
非磁性材料よりなり、前記主磁極と前記第１のシールドとの間に配置されたギャップ部と、
それぞれ磁性材料よりなる第１および第２の帰磁路部を備えた垂直磁気記録用磁気ヘッドであって、
前記第１の帰磁路部は、前記主磁極に対して前記記録媒体の進行方向の前側に配置されて、前記主磁極、ギャップ部、第１のシールドおよび第１の帰磁路部によって囲まれた第１の空間が形成されるように、前記主磁極のうちの前記媒体対向面から離れた部分と前記第１のシールドとを接続し、
前記第２の帰磁路部は、前記主磁極と第２の帰磁路部に囲まれた第２の空間が形成されるように、前記主磁極に対して前記記録媒体の進行方向の後側に配置され、
前記第１のコイルは、前記第１の空間を通過するように延びる１つ以上の第１のコイル要素を含み、前記主磁極に対して前記記録媒体の進行方向の前側に配置されて前記第１の帰磁路部の一部の周りに巻かれ、
前記１つ以上の第１のコイル要素を除く前記第１のコイルのいかなる部分も、前記第１の空間内には存在せず、
前記第１の帰磁路部は、前記主磁極のうちの前記媒体対向面から離れた部分に接した磁性層を含み、
前記１つ以上の第１のコイル要素は、前記第１のシールドと前記磁性層との間を通過する１つのコイル要素を含み、
前記第２のコイルは、前記第２の空間を通過するように延びる複数の第２のコイル要素を含み、前記主磁極に対して前記記録媒体の進行方向の後側に配置されて前記第２の帰磁路部の一部の周りに巻かれ、
前記複数の第２のコイル要素を除く前記第２のコイルのいかなる部分も、前記第２の空間内には存在せず、
前記第１のシールドと前記主磁極との間の最短距離は、前記１つ以上の第１のコイル要素と前記主磁極との間の最短距離よりも小さく、
前記１つ以上の第１のコイル要素は、前記複数の第２のコイル要素よりも数が少ないことを特徴とする垂直磁気記録用磁気ヘッド。
【請求項２】
前記第２の帰磁路部は、前記複数の第２のコイル要素よりも前記媒体対向面からより遠い位置に配置されたコア部を含み、
前記第２のコイルは、前記コア部の周りに巻かれていることを特徴とする請求項１記載の垂直磁気記録用磁気ヘッド。
【請求項３】
前記コア部は、前記主磁極のうちの前記媒体対向面から離れた部分に接続されていることを特徴とする請求項２記載の垂直磁気記録用磁気ヘッド。
【請求項４】
前記コア部は、前記主磁極のうちの前記媒体対向面から離れた部分に対向する端面を有し、
前記垂直磁気記録用磁気ヘッドは、更に、前記主磁極のうちの前記媒体対向面から離れた部分と前記コア部の端面との間に配置された非磁性層を備えたことを特徴とする請求項２記載の垂直磁気記録用磁気ヘッド。
【請求項５】
前記第２の帰磁路部は、前記媒体対向面において前記主磁極の前記端面に対して前記記録媒体の進行方向の後側に配置された端面を有することを特徴とする請求項１記載の垂直磁気記録用磁気ヘッド。
【請求項６】
前記第２の帰磁路部は、前記複数の第２のコイル要素と前記媒体対向面との間に配置された部分を含むことを特徴とする請求項５記載の垂直磁気記録用磁気ヘッド。
【請求項７】
前記第２の帰磁路部は、前記主磁極のうちの前記媒体対向面から離れた部分に接続されていることを特徴とする請求項５記載の垂直磁気記録用磁気ヘッド。
【請求項８】
前記第２の帰磁路部は、前記主磁極のうちの前記媒体対向面から離れた部分に接続され、
前記第１の帰磁路部と前記主磁極との間に第１の界面が形成され、
前記第２の帰磁路部と前記主磁極との間に第２の界面が形成され、
前記第１の界面は、前記媒体対向面に最も近い第１の端部を有し、前記第２の界面は、前記媒体対向面に最も近い第２の端部を有し、前記第１の端部は、前記第２の端部よりも、前記媒体対向面により近い位置に配置されていることを特徴とする請求項１記載の垂直磁気記録用磁気ヘッド。
【請求項９】
更に、磁性材料よりなり、前記媒体対向面において前記主磁極の前記端面に対して前記記録媒体の進行方向の後側に配置された端面を有する第２のシールドを備え、
前記第２の帰磁路部は、前記第２のシールドに接続され、
前記第２のシールドと前記主磁極との間の最短距離は、前記複数の第２のコイル要素と前記主磁極との間の最短距離よりも小さいことを特徴とする請求項１記載の垂直磁気記録用磁気ヘッド。
【請求項１０】
前記第２の帰磁路部は、前記主磁極のうちの前記媒体対向面から離れた部分と前記第２のシールドとを接続していることを特徴とする請求項９記載の垂直磁気記録用磁気ヘッド。
【請求項１１】
更に、磁性材料よりなり、前記媒体対向面において前記主磁極の前記端面に対してトラック幅方向の両側に配置された２つの端面を有する２つのサイドシールドを備えたことを特徴とする請求項１記載の垂直磁気記録用磁気ヘッド。
【発明の詳細な説明】
【技術分野】
【０００１】
本発明は、垂直磁気記録方式によって記録媒体に情報を記録するために用いられる垂直磁気記録用磁気ヘッドに関し、特に、主磁極とシールドを備えた垂直磁気記録用磁気ヘッドに関する。
【背景技術】
【０００２】
磁気記録再生装置における記録方式には、信号磁化の向きを記録媒体の面内方向（長手方向）とする長手磁気記録方式と、信号磁化の向きを記録媒体の面に対して垂直な方向とする垂直磁気記録方式とがある。垂直磁気記録方式は、長手磁気記録方式に比べて、記録媒体の熱揺らぎの影響を受けにくく、高い線記録密度を実現することが可能であると言われている。
【０００３】
一般的に、垂直磁気記録用の磁気ヘッドとしては、長手磁気記録用の磁気ヘッドと同様に、読み出し用の磁気抵抗効果素子（以下、ＭＲ（Magnetoresistive）素子とも記す。）を有する再生ヘッドと、書き込み用の誘導型電磁変換素子を有する記録ヘッドとを、基板上に積層した構造のものが用いられる。記録ヘッドは、記録媒体の面に対して垂直な方向の記録磁界を発生する主磁極を備えている。主磁極は、例えば、一端部が記録媒体に対向する媒体対向面に配置されたトラック幅規定部と、このトラック幅規定部の他端部に連結され、トラック幅規定部よりも大きな幅を有する幅広部とを有している。トラック幅規定部は、ほぼ一定の幅を有している。垂直磁気記録方式の記録ヘッドには、高記録密度化のために、トラック幅の縮小と、記録特性、例えば重ね書きの性能を表わすオーバーライト特性の向上が求められる。
【０００４】
ところで、ハードディスク装置等の磁気ディスク装置に用いられる磁気ヘッドは、一般的に、スライダに設けられる。スライダは、上記媒体対向面を有している。この媒体対向面は、空気流入端（リーディング端）と空気流出端（トレーリング端）とを有している。そして、空気流入端から媒体対向面と記録媒体との間に流入する空気流によって、スライダは記録媒体の表面からわずかに浮上するようになっている。このスライダにおいて、一般的に、磁気ヘッドは媒体対向面における空気流出端近傍に配置される。磁気ディスク装置において、磁気ヘッドの位置決めは、例えばロータリーアクチュエータによって行なわれる。この場合、磁気ヘッドは、ロータリーアクチュエータの回転中心を中心とした円軌道に沿って記録媒体上を移動する。このような磁気ディスク装置では、磁気ヘッドのトラック横断方向の位置に応じて、スキューと呼ばれる、円形のトラックの接線に対する磁気ヘッドの傾きが生じる。
【０００５】
特に、長手磁気記録方式に比べて記録媒体への書き込み能力が高い垂直磁気記録方式の磁気ディスク装置では、上述のスキューが生じると、あるトラックへの信号の記録時に、記録対象のトラックに隣接する１以上のトラックに記録された信号が消去されたり減衰したりする現象（以下、隣接トラック消去と言う。）が生じる場合がある。高記録密度化のためには、隣接トラック消去の発生を抑制する必要がある。
【０００６】
上述のようなスキューに起因した隣接トラック消去の発生を抑制すると共に記録密度を向上させる技術としては、主磁極の近傍に、ギャップ部を介して主磁極に隣接する１つ以上のシールドを設ける技術が有効である。例えば、特許文献１や、特許文献２には、媒体対向面において主磁極の端面に対して記録媒体の進行方向の前側に配置された端面を有するシールドと、媒体対向面において主磁極の端面に対して記録媒体の進行方向の後側に配置された端面を有するシールドと、媒体対向面において主磁極の端面に対してトラック幅方向の両側に配置された２つの端面を有する２つのシールドとを備えた磁気ヘッドが開示されている。４つのシールドの端面は、媒体対向面において主磁極の端面の周りを囲むように配置されている。
【０００７】
磁気ヘッドにおいて、主磁極に対して記録媒体の進行方向の前側というのは空気流出端（トレーリング端）側であり、主磁極に対して記録媒体の進行方向の後側というのは空気流入端（リーディング端）側である。以下、主磁極の端面に対して記録媒体の進行方向の前側に配置された端面を有するシールドをトレーリングシールドと呼び、主磁極の端面に対して記録媒体の進行方向の後側に配置された端面を有するシールドをリーディングシールドと呼ぶ。
【０００８】
一般的に、シールドを備えた磁気ヘッドでは、主磁極のうちの媒体対向面から離れた部分とシールドとを接続する帰磁路部が設けられる。そして、主磁極、ギャップ部、シールドおよび帰磁路部によって囲まれた空間を通過するようにコイルが設けられる。シールドと帰磁路部は、主磁極の端面より発生されて記録媒体の面に垂直な方向以外の方向に広がる磁束を取り込んで、この磁束が記録媒体に達することを阻止する機能を有している。また、シールドと帰磁路部は、主磁極の端面より発生されて、記録媒体を磁化した磁束を、主磁極に還流させる機能も有している。シールドと帰磁路部を備えた磁気ヘッドによれば、隣接トラック消去の発生を抑制することが可能になると共に、記録密度のより一層の向上が可能になる。
【０００９】
特許文献３には、記録媒体の裏打ち層内の磁束が起因となるノイズを低減するために、主磁極と少なくとも１つの補助磁極とを有する磁気ヘッドにおいて、主磁極を挟みこむようにトレーリング側励磁コイルとリーディング側励磁コイルを設け、２つの励磁コイルの巻き数を異ならせて、２つの励磁コイルの起磁力を異ならせる技術が記載されている。また、特許文献３には、磁気ヘッドの例として、主磁極を挟みこむようにトレーリング側補助磁極とリーディング側補助磁極を設け、主磁極とトレーリング側補助磁極の間にトレーリング側励磁コイルを設け、主磁極とリーディング側補助磁極の間にリーディング側励磁コイルを設け、リーディング側励磁コイルの巻き数をトレーリング側励磁コイルよりも多くした磁気ヘッドが開示されている。
【先行技術文献】
【特許文献】
【００１０】
【特許文献１】米国特許第６，９５４，３４０Ｂ２号明細書
【特許文献２】特開２００５−１８２９８７号公報
【特許文献３】特開２００６−４８９２１号公報
【発明の概要】
【発明が解決しようとする課題】
【００１１】
ところで、記録媒体に記録される記録ビットの端部の位置は、媒体対向面に配置された主磁極の端面のうち、記録媒体の進行方向の前側に配置された端部の位置によって決まる。そのため、記録ビットの端部の位置を精度よく規定するためには、特にトレーリングシールドを設けることが有効である。
【００１２】
また、記録密度を高めるために記録信号の周波数が高くなってくると、磁気ヘッドには、主磁極の端面より発生される磁束の方向の変化の速度の向上が求められる。トレーリングシールドを備えた磁気ヘッドでは、この要求に応えるためには、特に、トレーリングシールドと主磁極とを経由する磁路の長さを短くすることが有効である。そのためには、主磁極に対して記録媒体の進行方向の前側に配置されて主磁極のうちの媒体対向面から離れた部分とトレーリングシールドとを接続する帰磁路部（以下、トレーリング帰磁路部と言う。）を設けると共に、主磁極、ギャップ部、トレーリングシールドおよびトレーリング帰磁路部によって囲まれた空間を通過するコイルの巻き数を少なくすることが有効である。しかし、そうすると、コイルによる起磁力が不足して、主磁極から十分な大きさの記録磁界を発生させることができなくなるおそれがある。
【００１３】
このように、従来は、トレーリングシールドと主磁極とを経由する磁路の長さを短くしながら、主磁極から十分な大きさの記録磁界を発生させることが難しかった。
【００１４】
なお、前述のように、特許文献３には、主磁極を挟みこむように配置されたトレーリング側励磁コイルとリーディング側励磁コイルの巻き数を異ならせて、２つの励磁コイルの起磁力を異ならせる技術が記載されている。しかし、特許文献３に開示された磁気ヘッドは、シールドとして機能する要素を備えていない。特許文献３に開示され磁気ヘッドでは、補助磁極は、励磁コイルよりも主磁極からより遠い位置に配置されている。この磁気ヘッドでは、媒体対向面において、補助磁極の端面と主磁極の端面との間の距離が大きすぎて、補助磁極はシールドとして機能し得ない。
【００１５】
本発明はかかる問題点に鑑みてなされたもので、その目的は、主磁極に対して記録媒体の進行方向の前側に配置されたシールドと主磁極とを経由する磁路の長さを短くしながら、主磁極から十分な大きさの記録磁界を発生させることができるようにした垂直磁気記録用磁気ヘッドを提供することにある。
【課題を解決するための手段】
【００１６】
本発明の垂直磁気記録用磁気ヘッドは、
記録媒体に対向する媒体対向面と、
記録媒体に記録する情報に応じた磁界を発生する第１および第２のコイルと、
媒体対向面に配置された端面を有し、第１および第２のコイルによって発生された磁界に対応する磁束を通過させると共に、垂直磁気記録方式によって情報を記録媒体に記録するための記録磁界を発生する主磁極と、
磁性材料よりなり、媒体対向面において主磁極の端面に対して記録媒体の進行方向の前側に配置された端面を有する第１のシールドと、
非磁性材料よりなり、主磁極と第１のシールドとの間に配置されたギャップ部と、
それぞれ磁性材料よりなる第１および第２の帰磁路部を備えている。
【００１７】
第１の帰磁路部は、主磁極に対して記録媒体の進行方向の前側に配置されて、主磁極、ギャップ部、第１のシールドおよび第１の帰磁路部によって囲まれた第１の空間が形成されるように、主磁極のうちの媒体対向面から離れた部分と第１のシールドとを接続している。第２の帰磁路部は、主磁極と第２の帰磁路部に囲まれた第２の空間が形成されるように、主磁極に対して記録媒体の進行方向の後側に配置されている。
【００１８】
第１のコイルは、第１の空間を通過するように延びる１つ以上の第１のコイル要素を含み、主磁極に対して記録媒体の進行方向の前側に配置されて第１の帰磁路部の一部の周りに巻かれている。１つ以上の第１のコイル要素を除く第１のコイルのいかなる部分も、第１の空間内には存在していない。第２のコイルは、第２の空間を通過するように延びる複数の第２のコイル要素を含み、主磁極に対して記録媒体の進行方向の後側に配置されて第２の帰磁路部の一部の周りに巻かれている。複数の第２のコイル要素を除く第２のコイルのいかなる部分も、第２の空間内には存在していない。第１のシールドと主磁極との間の最短距離は、１つ以上の第１のコイル要素と主磁極との間の最短距離よりも小さい。１つ以上の第１のコイル要素は、複数の第２のコイル要素よりも数が少ない。
【００１９】
本発明の垂直磁気記録用磁気ヘッドにおいて、第２の帰磁路部は、複数の第２のコイル要素よりも媒体対向面からより遠い位置に配置されたコア部を含み、第２のコイルは、コア部の周りに巻かれていてもよい。コア部は、主磁極のうちの媒体対向面から離れた部分に接続されていてもよい。あるいは、コア部は、主磁極のうちの媒体対向面から離れた部分に対向する端面を有し、垂直磁気記録用磁気ヘッドは、更に、主磁極のうちの媒体対向面から離れた部分とコア部の端面との間に配置された非磁性層を備えていてもよい。
【００２０】
また、本発明の垂直磁気記録用磁気ヘッドにおいて、第２の帰磁路部は、媒体対向面において主磁極の端面に対して記録媒体の進行方向の後側に配置された端面を有していてもよい。この場合、第２の帰磁路部は、複数の第２のコイル要素と媒体対向面との間に配置された部分を含んでいてもよい。また、第２の帰磁路部は、主磁極のうちの媒体対向面から離れた部分に接続されていてもよい。
【００２１】
また、本発明の垂直磁気記録用磁気ヘッドにおいて、第２の帰磁路部は、主磁極のうちの媒体対向面から離れた部分に接続され、第１の帰磁路部と主磁極との間に第１の界面が形成され、第２の帰磁路部と主磁極との間に第２の界面が形成されていてもよい。第１の界面は、媒体対向面に最も近い第１の端部を有し、第２の界面は、媒体対向面に最も近い第２の端部を有している。第１の端部は、第２の端部よりも、媒体対向面により近い位置に配置されていてもよい。
【００２２】
また、本発明の垂直磁気記録用磁気ヘッドは、更に、磁性材料よりなり、媒体対向面において主磁極の端面に対して記録媒体の進行方向の後側に配置された端面を有する第２のシールドを備えていてもよい。この場合、第２の帰磁路部は、第２のシールドに接続されている。また、第２のシールドと主磁極との間の最短距離は、複数の第２のコイル要素と主磁極との間の最短距離よりも小さい。また、第２の帰磁路部は、主磁極のうちの媒体対向面から離れた部分と第２のシールドとを接続していてもよい。
【００２３】
また、本発明の垂直磁気記録用磁気ヘッドは、更に、磁性材料よりなり、媒体対向面において主磁極の端面に対してトラック幅方向の両側に配置された２つの端面を有する２つのサイドシールドを備えていてもよい。
【発明の効果】
【００２４】
本発明の垂直磁気記録用磁気ヘッドでは、１つ以上の第１のコイル要素が、複数の第２のコイル要素よりも数が少ないことから、１つ以上の第１のコイル要素の数を少なくすることによって、第１のシールドと主磁極とを経由する磁路の長さを短くし、且つ複数の第２のコイル要素の数を多くすることによって、第２のコイルによる起磁力を大きくすることが可能になる。これにより、本発明によれば、第１のシールドと主磁極とを経由する磁路の長さを短くしながら、主磁極から十分な大きさの記録磁界を発生させることが可能になるという効果を奏する。
【図面の簡単な説明】
【００２５】
【図１】本発明の第１の実施の形態に係る磁気ヘッドを示す断面図である。
【図２】本発明の第１の実施の形態に係る磁気ヘッドの媒体対向面を示す正面図である。
【図３】本発明の第１の実施の形態に係る磁気ヘッドにおける第２のコイルを示す平面図である。
【図４】本発明の第１の実施の形態に係る磁気ヘッドにおける第１のコイルの第１層を示す平面図である。
【図５】本発明の第１の実施の形態に係る磁気ヘッドにおける第１のコイルの第２層を示す平面図である。
【図６】本発明の第１の実施の形態に係る磁気ヘッドにおける主磁極の媒体対向面の近傍の部分を示す断面図である。
【図７】本発明の第１の実施の形態に係る磁気ヘッドにおける磁束の流れを示す説明図である。
【図８】本発明の第２の実施の形態に係る磁気ヘッドを示す断面図である。
【図９】本発明の第２の実施の形態に係る磁気ヘッドにおける第１のコイルの第２層を示す平面図である。
【図１０】本発明の第３の実施の形態に係る磁気ヘッドを示す断面図である。
【図１１】本発明の第４の実施の形態に係る磁気ヘッドを示す断面図である。
【図１２】本発明の第４の実施の形態に係る磁気ヘッドにおける主磁極の媒体対向面の近傍の部分を示す断面図である。
【図１３】本発明の第５の実施の形態に係る磁気ヘッドを示す断面図である。
【発明を実施するための形態】
【００２６】
［第１の実施の形態］
以下、本発明の実施の形態について図面を参照して詳細に説明する。始めに、図１ないし図５を参照して、本発明の第１の実施の形態に係る磁気ヘッドの構成について説明する。図１は、本実施の形態に係る磁気ヘッドを示す断面図である。なお、図１は媒体対向面および基板の上面に垂直な断面を示している。図１において記号Ｔで示す矢印は、記録媒体の進行方向を表している。図２は、本実施の形態に係る磁気ヘッドの媒体対向面を示す正面図である。図３は、本実施の形態に係る磁気ヘッドにおける第２のコイルを示す平面図である。図４は、本実施の形態に係る磁気ヘッドにおける第１のコイルの第１層を示す平面図である。図５は、本実施の形態に係る磁気ヘッドにおける第１のコイルの第２層を示す平面図である。図２ないし図５において記号ＴＷで示す矢印は、トラック幅方向を表している。
【００２７】
図１および図２に示したように、本実施の形態に係る垂直磁気記録用磁気ヘッド（以下、単に磁気ヘッドと記す。）は、アルミニウムオキサイド・チタニウムカーバイド（Ａｌ2Ｏ3・ＴｉＣ）等のセラミック材料よりなり、上面１ａを有する基板１と、この基板１の上面１ａ上に配置されたアルミナ（Ａｌ2Ｏ3）等の絶縁材料よりなる絶縁層２と、この絶縁層２の上に配置された磁性材料よりなる第１の再生シールド層３と、第１の再生シールド層３を覆うように配置された絶縁膜である第１の再生シールドギャップ膜４と、この第１の再生シールドギャップ膜４の上に配置された再生素子としてのＭＲ（磁気抵抗効果）素子５と、このＭＲ素子５の上に配置された絶縁膜である第２の再生シールドギャップ膜６と、この第２の再生シールドギャップ膜６の上に配置された磁性材料よりなる第２の再生シールド層７とを備えている。
【００２８】
ＭＲ素子５の一端部は、記録媒体に対向する媒体対向面１００に配置されている。ＭＲ素子５には、ＡＭＲ（異方性磁気抵抗効果）素子、ＧＭＲ（巨大磁気抵抗効果）素子あるいはＴＭＲ（トンネル磁気抵抗効果）素子等の磁気抵抗効果を示す感磁膜を用いた素子を用いることができる。ＧＭＲ素子としては、磁気的信号検出用の電流を、ＧＭＲ素子を構成する各層の面に対してほぼ平行な方向に流すＣＩＰ（Current In Plane）タイプでもよいし、磁気的信号検出用の電流を、ＧＭＲ素子を構成する各層の面に対してほぼ垂直な方向に流すＣＰＰ（Current Perpendicular to Plane）タイプでもよい。
【００２９】
第１の再生シールド層３から第２の再生シールド層７までの部分は、再生ヘッド部８を構成する。磁気ヘッドは、更に、非磁性材料よりなり、第２の再生シールド層７の上に配置された非磁性層５０と、非磁性層５０の上に配置された記録ヘッド部９とを備えている。非磁性層５０は、例えばアルミナによって形成されている。記録ヘッド部９は、第１のコイル２０および第２のコイル１０と、主磁極１５と、第１のシールド１６Ａと、第２のシールド１６Ｂと、２つのサイドシールド１６Ｃ，１６Ｄと、ギャップ部１７とを有している。
【００３０】
第１および第２のコイル２０，１０は、記録媒体に記録する情報に応じた磁界を発生する。コイル２０，１０は、いずれも、銅等の導電材料によって形成されている。コイル２０とコイル１０は、直列または並列に接続されている。主磁極１５は、媒体対向面１００に配置された端面を有し、コイル２０，１０によって発生された磁界に対応する磁束を通過させると共に、垂直磁気記録方式によって情報を記録媒体に記録するための記録磁界を発生する。図１は、媒体対向面１００に配置された主磁極１５の端面と交差し、媒体対向面１００および基板１の上面１ａに垂直な断面（以下、主断面と言う。）を示している。
【００３１】
シールド１６Ａ，１６Ｂ，１６Ｃ，１６Ｄは、いずれも磁性材料によって形成されている。シールド１６Ａ，１６Ｂ，１６Ｃ，１６Ｄの材料としては、例えばＣｏＦｅＮ、ＣｏＮｉＦｅ、ＮｉＦｅ、ＣｏＦｅのいずれかを用いることができる。
【００３２】
第１のシールド１６Ａは、主磁極１５に対して記録媒体の進行方向Ｔの前側（トレーリング端側）に配置されている。第２のシールド１６Ｂは、主磁極１５に対して記録媒体の進行方向Ｔの後側（リーディング端側）に配置されている。２つのサイドシールド１６Ｃ，１６Ｄは、主磁極１５のトラック幅方向ＴＷの両側に配置されて、それぞれ第１のシールド１６Ａと第２のシールド１６Ｂを磁気的に連結している。
【００３３】
図１に示したように、第１のシールド１６Ａは、主磁極１５の端面に対して記録媒体の進行方向Ｔの前側に配置された端面１６Ａａと、下面である第１の傾斜面１６Ａｂとを有している。第２のシールド１６Ｂは、主磁極１５の端面に対して記録媒体の進行方向Ｔの後側に配置された端面１６Ｂａと、第２の傾斜面１６Ｂｂを含む上面とを有している。第１の傾斜面１６Ａｂと第２の傾斜面１６Ｂｂについては、後で詳しく説明する。図２に示したように、２つのサイドシールド１６Ｃ，１６Ｄは、主磁極１５の端面に対してトラック幅方向ＴＷの両側に配置された２つの端面１６Ｃａ，１６Ｄａを有している。媒体対向面１００において、シールド１６Ａ，１６Ｂ，１６Ｃ，１６Ｄの端面１６Ａａ，１６Ｂａ，１６Ｃａ，１６Ｄａは、主磁極１５の端面の周りを囲むように配置されている。
【００３４】
記録ヘッド部９は、更に、第１の帰磁路部４０および第２の帰磁路部３０を有している。第１の帰磁路部４０および第２の帰磁路部３０は、いずれも磁性材料によって形成されている。第１の帰磁路部４０および第２の帰磁路部３０の材料としては、例えばＣｏＦｅＮ、ＣｏＮｉＦｅ、ＮｉＦｅ、ＣｏＦｅのいずれかを用いることができる。第１の帰磁路部４０と第２の帰磁路部３０は、主磁極１５を挟むように基板１の上面１ａに垂直な方向に沿って並んでいる。第１の帰磁路部４０は、主磁極１５に対して記録媒体の進行方向Ｔの前側に配置されて、主磁極１５のうちの媒体対向面１００から離れた部分と第１のシールド１６Ａとを接続し、これにより、主磁極１５と第１のシールド１６Ａとを磁気的に連結している。第２の帰磁路部３０は、主磁極１５に対して記録媒体の進行方向Ｔの後側に配置されている。本実施の形態では、特に、第２の帰磁路部３０は、主磁極１５のうちの媒体対向面１００から離れた部分と第２のシールド１６Ｂとを接続し、これにより、主磁極１５と第２のシールド１６Ｂとを磁気的に連結している。
【００３５】
第２の帰磁路部３０は、磁性層３１，３２，３３，３４，３５，３６を含んでいる。磁性層３１は、非磁性層５０の上に配置されている。磁性層３２，３３は、いずれも磁性層３１の上に配置されている。磁性層３２は、媒体対向面１００の近傍に配置されている。磁性層３３は、磁性層３２に対して、媒体対向面１００からより遠い位置に配置されている。磁性層３１，３２は、それぞれ、媒体対向面１００に向いた端面を有し、これらの端面は、媒体対向面１００から離れた位置に配置されている。図３に示したように、第２のコイル１０は、磁性層３３の周りに約４回巻かれている。
【００３６】
磁気ヘッドは、更に、磁性層３１の周囲において非磁性層５０の上に配置された絶縁材料よりなる絶縁層５１と、磁性層３１〜３３と第２のコイル１０との間に介在する絶縁材料よりなる絶縁膜５２と、第２のコイル１０の巻線間に配置された絶縁材料よりなる絶縁層５３と、第２のコイル１０および磁性層３２の周囲に配置された絶縁材料よりなる絶縁層５４とを備えている。第２のコイル１０、磁性層３２，３３、絶縁膜５２および絶縁層５３，５４の上面は平坦化されている。絶縁層５１，５４および絶縁膜５２は、例えばアルミナによって形成されている。絶縁層５３は、例えばフォトレジストによって形成されている。
【００３７】
磁性層３４は、磁性層３２および絶縁層５４の上に配置されている。磁性層３５は、磁性層３３の上に配置されている。磁性層３４は、媒体対向面１００に配置された端面を有している。磁気ヘッドは、更に、第２のコイル１０、絶縁膜５２および絶縁層５３，５４の上面の上に配置された絶縁材料よりなる絶縁層５５と、磁性層３４，３５の周囲において絶縁層５５の上に配置された絶縁材料よりなる絶縁層５６とを備えている。磁性層３４，３５および絶縁層５６の上面は平坦化されている。絶縁層５５，５６は、例えばアルミナによって形成されている。
【００３８】
第２のシールド１６Ｂは、磁性層３４の上に配置されている。磁性層３６は、磁性層３５の上に配置されている。磁気ヘッドは、更に、非磁性材料よりなる非磁性層５７を備えている。非磁性層５７は、第２のシールド１６Ｂおよび磁性層３６の周囲において、磁性層３４の上面の一部の上および絶縁層５６の上面の上に配置されている。非磁性層５７は、例えばアルミナによって形成されている。
【００３９】
主磁極１５は、記録媒体の進行方向Ｔの前側の端に位置する面である上面１５Ｔ（図１参照）と、上面１５Ｔとは反対側の下端部１５Ｌ（図１参照）と、トラック幅方向ＴＷの両側に配置された第１および第２の側部（図２参照）とを有している。サイドシールド１６Ｃは、主磁極１５の第１の側部に対向する第１の側壁を有している。サイドシールド１６Ｄは、主磁極１５の第２の側部に対向する第２の側壁を有している。
【００４０】
ギャップ部１７は、非磁性材料よりなり、主磁極１５と、シールド１６Ａ，１６Ｂ，１６Ｃ，１６Ｄとの間に設けられている。ギャップ部１７は、主磁極１５と第１のシールド１６Ａとの間に配置された第１のギャップ層１９と、主磁極１５と第２のシールド１６Ｂおよびサイドシールド１６Ｃ，１６Ｄとの間に配置された第２のギャップ層１８とを含んでいる。
【００４１】
サイドシールド１６Ｃ，１６Ｄは、第２のシールド１６Ｂの上に配置され、第２のシールド１６Ｂの上面に接している。第２のギャップ層１８は、サイドシールド１６Ｃ，１６Ｄの側壁、第２のシールド１６Ｂの上面および非磁性層５７の上面に沿って配置されている。第２のギャップ層１８は、非磁性材料によって形成されている。第２のギャップ層１８を構成する非磁性材料は、絶縁材料でもよいし、非磁性金属材料でもよい。第２のギャップ層１８を構成する絶縁材料としては、例えばアルミナが用いられる。第２のギャップ層１８を構成する非磁性金属材料としては、例えばＲｕが用いられる。第２のギャップ層１８には、磁性層３６の上面を露出させる開口部が形成されている。
【００４２】
主磁極１５は、第２のシールド１６Ｂおよび非磁性層５７の上面と主磁極１５との間に第２のギャップ層１８が介在するように、第２のシールド１６Ｂおよび非磁性層５７の上に配置されている。また、図２に示したように、主磁極１５とサイドシールド１６Ｃ，１６Ｄとの間にも、第２のギャップ層１８が介在している。
【００４３】
媒体対向面１００から離れた位置において、主磁極１５の下端部１５Ｌは、磁性層３６の上面に接している。主磁極１５は、金属磁性材料によって形成されている。主磁極１５の材料としては、例えば、ＮｉＦｅ、ＣｏＮｉＦｅ、ＣｏＦｅのいずれかを用いることができる。主磁極１５の形状については、後で詳しく説明する。
【００４４】
磁気ヘッドは、更に、主磁極１５およびサイドシールド１６Ｃ，１６Ｄの周囲に配置された非磁性材料よりなる図示しない第１の非磁性層を備えている。本実施の形態では、特に、第１の非磁性層は、アルミナ等の非磁性絶縁材料よりなる。
【００４５】
磁気ヘッドは、更に、媒体対向面１００から離れた位置において、主磁極１５の上面１５Ｔの一部の上に配置された非磁性金属材料よりなる非磁性金属層５８と、この非磁性金属層５８の上面の上に配置された絶縁材料よりなる絶縁層５９とを備えている。非磁性金属層５８は、例えばＲｕ、ＮｉＣｒまたはＮｉＣｕによって形成されている。絶縁層５９は、例えばアルミナによって形成されている。
【００４６】
第１のギャップ層１９は、主磁極１５、非磁性金属層５８および絶縁層５９を覆うように配置されている。第１のギャップ層１９は、非磁性材料によって形成されている。第１のギャップ層１９の材料は、アルミナ等の非磁性絶縁材料でもよいし、Ｒｕ、ＮｉＣｕ、Ｔａ、Ｗ、ＮｉＢ、ＮｉＰ等の非磁性導電材料でもよい。
【００４７】
第１のシールド１６Ａは、サイドシールド１６Ｃ，１６Ｄおよび第１のギャップ層１９の上に配置され、サイドシールド１６Ｃ，１６Ｄおよび第１のギャップ層１９の上面に接している。媒体対向面１００において、第１のシールド１６Ａの端面１６Ａａの一部は、主磁極１５の端面に対して、第１のギャップ層１９の厚みによる所定の間隔を開けて配置されている。第１のギャップ層１９の厚みは、５〜６０ｎｍの範囲内であることが好ましく、例えば３０〜６０ｎｍの範囲内である。主磁極１５の端面は、第１のギャップ層１９に隣接する辺を有し、この辺はトラック幅を規定している。
【００４８】
第１の帰磁路部４０は、磁性層４１，４２，４３，４４を含んでいる。磁性層４１は、媒体対向面１００から離れた位置において主磁極１５の上に配置されている。
【００４９】
第１のコイル２０は、第１層２１および第２層２２を含んでいる。図４に示したように、第１層２１は、磁性層４１の周りに１回巻かれている。磁気ヘッドは、更に、第１のシールド１６Ａ、第１のギャップ層１９および磁性層４１と第１層２１との間に介在する絶縁材料よりなる絶縁膜６１と、第１層２１および第１のシールド１６Ａの周囲に配置された非磁性材料よりなる図示しない第２の非磁性層とを備えている。第１のシールド１６Ａ、第１層２１、磁性層４１、絶縁膜６１および第２の非磁性層の上面は平坦化されている。磁気ヘッドは、更に、第１層２１および絶縁膜６１の上面の上に配置された絶縁材料よりなる絶縁層６２を備えている。絶縁膜６１および絶縁層６２は、例えばアルミナによって形成されている。第２の非磁性層は、例えば無機絶縁材料によって形成されている。この無機絶縁材料としては、例えばアルミナまたはシリコン酸化物が用いられる。
【００５０】
磁性層４２は、第１のシールド１６Ａおよび絶縁層６２の上に配置されている。磁性層４３は、磁性層４１の上に配置されている。磁性層４２は、媒体対向面１００に配置された前端面と、実質的に媒体対向面１００に垂直な方向に延在する上面と、前端面と上面とを接続する第１および第２の接続面とを有している。磁性層４２において、第１の接続面の一端は媒体対向面１００に位置し、第１の接続面の他端は第２の接続面の一端に接続され、第２の接続面の他端は上面に接続されている。第１および第２の接続面における任意の位置の基板１の上面１ａからの距離は、任意の位置が媒体対向面１００から離れるに従って大きくなっている。媒体対向面１００に垂直な方向に対する第２の接続面の傾斜角度は、媒体対向面１００に垂直な方向に対する第１の接続面の傾斜角度よりも大きい。
【００５１】
第２層２２は、第１層２１の上方に配置されている。図５に示したように、第２層２２は、磁性層４３の周りに約１回巻かれている。磁気ヘッドは、更に、磁性層４２，４３および絶縁層６２と第２層２２との間に介在する絶縁材料よりなる絶縁膜６４と、第２層２２および磁性層４２の周囲に配置された絶縁材料よりなる絶縁層６６とを備えている。第２層２２、磁性層４２，４３、絶縁膜６４および絶縁層６６の上面は平坦化されている。磁気ヘッドは、更に、第２層２２および絶縁膜６４の上面の上に配置された絶縁材料よりなる絶縁層６７を備えている。絶縁膜６４および絶縁層６６，６７は、例えばアルミナによって形成されている。
【００５２】
磁性層４４は、磁性層４２，４３および絶縁層６７の上に配置され、磁性層４２と磁性層４３とを接続している。磁性層４４は、媒体対向面１００に向いた端面を有し、この端面は、媒体対向面１００から離れた位置に配置されている。磁気ヘッドは、更に、磁性層４４の周囲に配置された絶縁材料よりなる絶縁層６８を備えている。絶縁層６８は、例えばアルミナによって形成されている。磁性層４４および絶縁層６８の上面は平坦化されている。
【００５３】
磁気ヘッドは、更に、非磁性材料よりなり、記録ヘッド部９を覆うように配置された保護層７０を備えている。保護層７０は、例えば、アルミナ等の無機絶縁材料によって形成されている。
【００５４】
以上説明したように、本実施の形態に係る磁気ヘッドは、記録媒体に対向する媒体対向面１００と再生ヘッド部８と記録ヘッド部９とを備えている。再生ヘッド部８と記録ヘッド部９は、基板１の上に積層されている。再生ヘッド部８は、記録ヘッド部９に対して、記録媒体の進行方向Ｔの後側（リーディング端側）に配置されている。
【００５５】
再生ヘッド部８は、再生素子としてのＭＲ素子５と、媒体対向面１００側の一部がＭＲ素子５を挟んで対向するように配置された、ＭＲ素子５をシールドするための第１の再生シールド層３および第２の再生シールド層７と、ＭＲ素子５と第１の再生シールド層３との間に配置された第１の再生シールドギャップ膜４と、ＭＲ素子５と第２の再生シールド層７との間に配置された第２の再生シールドギャップ膜６とを有している。
【００５６】
記録ヘッド部９は、第１のコイル２０および第２のコイル１０と、主磁極１５と、第１のシールド１６Ａと、第２のシールド１６Ｂと、２つのサイドシールド１６Ｃ，１６Ｄと、ギャップ部１７と、第１の帰磁路部４０および第２の帰磁路部３０とを有している。ギャップ部１７は、第２のギャップ層１８と第１のギャップ層１９とを含んでいる。第１の帰磁路部４０と第２の帰磁路部３０は、主磁極１５を挟むように基板１の上面１ａに垂直な方向に沿って並んでいる。
【００５７】
第２の帰磁路部３０は、磁性層３１〜３６を含み、主磁極１５と第２の帰磁路部３０（磁性層３１〜３６）によって囲まれた第２の空間Ｓ２が形成されるように、主磁極１５に対して記録媒体の進行方向Ｔの後側に配置されている。図１に示したように、本実施の形態では、特に、第２の帰磁路部３０は、主磁極１５のうちの媒体対向面１００から離れた部分と第２のシールド１６Ｂとを接続している。そのため、第２の空間Ｓ２は、主磁極１５、ギャップ部１７（ギャップ層１８）、第２のシールド１６Ｂおよび第２の帰磁路部３０（磁性層３１〜３６）によって囲まれた空間になっている。
【００５８】
磁性層３２，３４は、第２のシールド１６Ｂと磁性層３１とを磁気的に連結している。磁性層３４は、第２のシールド１６Ｂに接続されている。磁性層３２は、磁性層３４と磁性層３１とを磁気的に連結している。磁性層３４は、媒体対向面１００において主磁極１５の端面および第２のシールド１６Ｂの端面１６Ｂａに対して記録媒体の進行方向Ｔの後側に配置された端面を有している。前記主断面において、磁性層３１は、媒体対向面１００に垂直な方向について第２のシールド１６Ｂよりも大きな長さを有している。前記主断面において、磁性層３２，３４は、媒体対向面１００に垂直な方向について第２のシールド１６Ｂよりも大きく磁性層３１よりも小さな長さを有している。
【００５９】
磁性層３１，３２は、媒体対向面１００に露出していない。磁性層３１，３２は、それぞれ、媒体対向面１００に向くと共に媒体対向面１００から離れた位置に配置された端面を有している。磁性層３１の上記端面と媒体対向面１００との間には絶縁層５１の一部が介在している。磁性層３２の上記端面と媒体対向面１００との間には絶縁層５４の一部が介在している。
【００６０】
第１の帰磁路部４０は、磁性層４１〜４４を含み、主磁極１５に対して記録媒体の進行方向Ｔの前側に配置されている。第１の帰磁路部４０は、主磁極１５、ギャップ部１７（ギャップ層１９）、第１のシールド１６Ａおよび第１の帰磁路部４０（磁性層４１〜４４）によって囲まれた第１の空間Ｓ１が形成されるように、主磁極１５のうちの媒体対向面１００から離れた部分と第１のシールド１６Ａとを接続している。
【００６１】
磁性層４２は、第１のシールド１６Ａと磁性層４４とを磁気的に連結している。磁性層４２は、媒体対向面１００において第１のシールド１６Ａの端面１６Ａａに対して記録媒体の進行方向Ｔの前側に配置された前端面と、上面と、前端面と上面とを接続する第１および第２の接続面とを有している。磁性層４２の第１および第２の接続面と媒体対向面１００との間には絶縁層６６の一部が介在している。前記主断面において、磁性層４４は、媒体対向面１００に垂直な方向について第１のシールド１６Ａよりも大きな長さを有している。前記主断面において、磁性層４２は、媒体対向面１００に垂直な方向について第１のシールド１６Ａよりも大きく磁性層４４よりも小さな長さを有している。
【００６２】
磁性層４４は、媒体対向面１００に露出していない。磁性層４４は、媒体対向面１００に向くと共に媒体対向面１００から離れた位置に配置された端面を有している。磁性層４４の上記端面と媒体対向面１００との間には絶縁層６８の一部が介在している。
【００６３】
以下、図１、図３ないし図５を参照して、第１のコイル２０および第２のコイル１０について詳しく説明する。図３は、第２のコイル１０を示す平面図である。第２のコイル１０は、主磁極１５に対して記録媒体の進行方向Ｔの後側に配置されて第２の帰磁路部３０の一部の周りに巻かれている。また、第２のコイル１０は、第２の空間Ｓ２を通過するように延びる複数の第２のコイル要素を含んでいる。なお、コイル要素とは、コイルの巻線の一部である。本実施の形態では、特に、第２のコイル１０は、第２の帰磁路部３０の一部である磁性層３３の周りに約４回巻かれ、第２のコイル１０は、第２の空間Ｓ２内のうち特に磁性層３２と磁性層３３との間を通過するように延びる４つの第２のコイル要素１０Ａ，１０Ｂ，１０Ｃ，１０Ｄを含んでいる。第２のコイル要素１０Ａ，１０Ｂ，１０Ｃ，１０Ｄを除く第２のコイル１０のいかなる部分も、第２の空間Ｓ２内には存在していない。第２のコイル要素１０Ａ，１０Ｂ，１０Ｃ，１０Ｄは、媒体対向面１００側からこの順に、媒体対向面１００に垂直な方向に並んでいる。第２のコイル１０は、第１のコイル２０に電気的に接続されたコイル接続部１０Ｅを有している。
【００６４】
図１および図３に示したように、磁性層３２は、第２のコイル要素１０Ａ〜１０Ｄと媒体対向面１００との間に配置されている。また、磁性層３３，３５，３６は、第２のコイル要素１０Ａ〜１０Ｄよりも媒体対向面１００からより遠い位置に配置されている。磁性層３３，３５，３６は、本発明における「コア部」に対応する。本実施の形態では、第２の帰磁路部３０のコア部（磁性層３３，３５，３６）は、主磁極１５のうちの媒体対向面１００から離れた部分に接続されている。
【００６５】
第１のコイル２０は、主磁極１５に対して記録媒体の進行方向Ｔの前側に配置されて第１の帰磁路部４０の一部の周りに巻かれている。第１のコイル２０は、第１の空間Ｓ１を通過するように延びる１つ以上の第１のコイル要素を含んでいる。本実施の形態では、第１のコイル２０は、第１層２１および第２層２２を含んでいる。
【００６６】
図４は、第１のコイル２０の第１層２１を示す平面図である。第１層２１は、第１の帰磁路部４０の一部である磁性層４１の周りに１回巻かれている。第１層２１は、第１の空間Ｓ１内のうち特に第１のシールド１６Ａと磁性層４１との間を通過するように延びる１つの第１のコイル要素２１Ａを含んでいる。また、第１層２１は、第２のコイル１０のコイル接続部１０Ｅに電気的に接続されたコイル接続部２１Ｓと、第２層２２に電気的に接続されたコイル接続部２１Ｅとを有している。コイル接続部２１Ｓは、第１層２１と第２のコイル１０との間の複数の層を貫通する図示しない柱状の接続層を介してコイル接続部１０Ｅに電気的に接続されている。接続層は、銅等の導電材料によって形成されている。
【００６７】
図５は、第１のコイル２０の第２層２２を示す平面図である。第２層２２は、第１の帰磁路部４０の一部である磁性層４３の周りに約１回巻かれている。第２層２２は、第１の空間Ｓ１内のうち特に磁性層４２と磁性層４３との間を通過するように延びる第１のコイル要素２２Ａを含んでいる。また、第２層２２は、絶縁層６２を貫通して第１層２１のコイル接続部２１Ｅに電気的に接続されたコイル接続部２２Ｓを有している。第１のコイル要素２１Ａ，２２Ａを除く第１のコイル２０のいかなる部分も、第１の空間Ｓ１内には存在していない。図３ないし図５に示した例では、第１のコイル２０と第２のコイル１０は、直列に接続されている。
【００６８】
第１のコイル２０の巻き数の合計（第１層２１の巻き数と第２層２２の巻き数の合計）は約２回であり、第１の空間Ｓ１を通過する第１のコイル要素の数は２つである。また、第２のコイル１０の巻き数は約４回であり、第２の空間Ｓ２を通過する第２のコイル要素の数は４つである。このように、本実施の形態では、第１のコイル要素は、第２のコイル要素よりも数が少ない。
【００６９】
次に、図３ないし図６を参照して、主磁極１５の形状について詳しく説明する。図６は、主磁極１５の媒体対向面１００の近傍の部分を示す断面図である。なお、図６は媒体対向面１００および基板１の上面１ａに垂直な断面、特に前記主断面を示している。図３ないし図５に示したように、主磁極１５は、媒体対向面１００に配置された端面とその反対側の端部とを有するトラック幅規定部１５Ａと、トラック幅規定部１５Ａの端部に接続された幅広部１５Ｂとを含んでいる。また、図６に示したように、主磁極１５は、記録媒体の進行方向Ｔの前側の端に位置する面である上面１５Ｔと、上面１５Ｔとは反対側の下端部１５Ｌと、第１の側部と、第２の側部とを有している。幅広部１５Ｂにおける上面１５Ｔのトラック幅方向ＴＷの幅は、トラック幅規定部１５Ａにおける上面１５Ｔのトラック幅方向ＴＷの幅よりも大きい。
【００７０】
トラック幅規定部１５Ａにおける上面１５Ｔのトラック幅方向ＴＷの幅は、媒体対向面１００からの距離によらずにほぼ一定である。幅広部１５Ｂにおける上面１５Ｔのトラック幅方向ＴＷの幅は、例えば、トラック幅規定部１５Ａとの境界位置ではトラック幅規定部１５Ａにおける上面１５Ｔのトラック幅方向ＴＷの幅と等しく、媒体対向面１００から離れるに従って、徐々に大きくなった後、一定の大きさになっている。ここで、媒体対向面１００に垂直な方向についてのトラック幅規定部１５Ａの長さをネックハイトと呼ぶ。ネックハイトは、例えば０〜０．３μｍの範囲内である。ネックハイトが０の場合は、トラック幅規定部１５Ａがなく、幅広部１５Ｂの端面が媒体対向面１００に配置される。
【００７１】
上面１５Ｔは、媒体対向面１００に近い順に配置された第１の部分１５Ｔ１と第２の部分１５Ｔ２を含んでいる。第１の部分１５Ｔ１は、媒体対向面１００に配置された第１の端部と、その反対側の第２の端部とを有している。第２の部分１５Ｔ２は、第１の部分１５Ｔ１の第２の端部に接続されている。
【００７２】
下端部１５Ｌは、媒体対向面１００に近い順に配置された第３の部分１５Ｌ１と第４の部分１５Ｌ２を含んでいる。第３の部分１５Ｌ１は、媒体対向面１００に配置された第１の端部と、その反対側の第２の端部とを有している。第３の部分１５Ｌ１は、２つの面が交わってできるエッジでもよいし、２つの面を連結する面でもよい。第４の部分１５Ｌ２は、第３の部分１５Ｌ１の第２の端部に接続された面である。
【００７３】
ここで、図６に示したように、第１の部分１５Ｔ１の第１の端部を通り、媒体対向面１００および記録媒体の進行方向Ｔに垂直な第１の仮想の平面Ｐ１と、第３の部分１５Ｌ１の第１の端部を通り、媒体対向面１００および記録媒体の進行方向Ｔに垂直な第２の仮想の平面Ｐ２とを想定する。第１の部分１５Ｔ１は、その第２の端部が第１の仮想の平面Ｐ１に対して記録媒体の進行方向Ｔの前側に配置されるように、第１の仮想の平面Ｐ１および媒体対向面１００に対して傾斜している。第３の部分１５Ｌ１は、その第２の端部が第２の仮想の平面Ｐ２に対して記録媒体の進行方向Ｔの後側に配置されるように、第２の仮想の平面Ｐ２および媒体対向面１００に対して傾斜している。
【００７４】
前述のように、第１のシールド１６Ａは、下面である第１の傾斜面１６Ａｂを有している。第１の傾斜面１６Ａｂは、ギャップ部１７の第１のギャップ層１９を介して第１の部分１５Ｔ１に対向する部分を含んでいる。第１の傾斜面１６Ａｂは、第１の仮想の平面Ｐ１および媒体対向面１００に対して傾斜している。第１の傾斜面１６Ａｂと第１の部分１５Ｔ１との間の最短距離は、第１のシールド１６Ａと主磁極１５との間の最短距離でもある。この距離は、第１のコイル要素２１Ａと主磁極１５との間の最短距離よりも小さい。
【００７５】
また、第２のシールド１６Ｂは、第２の傾斜面１６Ｂｂと平坦部とを含む上面を有している。第２の傾斜面１６Ｂｂは、ギャップ部１７の第２のギャップ層１８を介して第３の部分１５Ｌ１に対向している。第２の傾斜面１６Ｂｂは、第２の仮想の平面Ｐ２および媒体対向面１００に対して傾斜している。平坦部は、第２の傾斜面１６Ｂｂに連続し第２の傾斜面１６Ｂｂよりも媒体対向面１００からより遠い位置に配置されている。平坦部および非磁性層５７の上面は、ギャップ部１７の第２のギャップ層１８を介して第４の部分１５Ｌ２に対向している。第２のシールド１６Ｂの上面と第３の部分１５Ｌ１との間の最短距離は、第２のシールド１６Ｂと主磁極１５との間の最短距離でもある。この距離は、第２のコイル要素１０Ａ，１０Ｂ，１０Ｃ，１０Ｄと主磁極１５との間の最短距離よりも小さい。
【００７６】
ここで、図６に示したように、媒体対向面１００に垂直な方向についての第１の部分１５Ｔ１の長さを記号ＬＡで表し、媒体対向面１００に垂直な方向についての第３の部分１５Ｌ１の長さを記号ＬＢで表し、媒体対向面１００に垂直な方向についての第１の傾斜面１６Ａｂの長さを記号ＬＣで表す。長さＬＡは、長さＬＢおよびＬＣよりも小さい。長さＬＡは、例えば０．０５〜０．１５μｍの範囲内である。長さＬＢは、例えば０．２〜１．２μｍの範囲内である。長さＬＣは、例えば０．２〜０．６μｍの範囲内である。
【００７７】
なお、トラック幅規定部１５Ａと幅広部１５Ｂとの境界位置と媒体対向面１００との間の距離すなわちネックハイトは、第１の部分１５Ｔ１の長さＬＡまたは第３の部分１５Ｌ１の長さＬＢと等しくてもよいし、異なっていてもよい。
【００７８】
図６に示したように、第１の仮想の平面Ｐ１に対する第１の部分１５Ｔ１の傾斜角度を記号θＴ１で表し、第２の仮想の平面Ｐ２に対する第３の部分１５Ｌ１の傾斜角度を記号θＬ１で表す。傾斜角度θＴ１は、例えば２２°〜３５°の範囲内である。傾斜角度θＬ１は、例えば３０°〜５０°の範囲内である。
【００７９】
第２の部分１５Ｔ２と第４の部分１５Ｌ２は、実質的に媒体対向面１００に垂直な方向に延在している。図６に示したように、媒体対向面１００における主磁極１５の厚み、すなわち第１の仮想の平面Ｐ１と第２の仮想の平面Ｐ２との間の距離を記号Ｄ０で表す。また、第２の部分１５Ｔ２と第１の仮想の平面Ｐ１との間の距離を記号Ｄ１で表し、第４の部分１５Ｌ２と第２の仮想の平面Ｐ２との間の距離を記号Ｄ２で表す。距離Ｄ２は距離Ｄ１よりも大きい。距離Ｄ０は、例えば０．０５〜０．１μｍの範囲内である。距離Ｄ１は、例えば０．０２〜０．１μｍの範囲内である。距離Ｄ２は、例えば０．２〜０．８μｍの範囲内である。
【００８０】
また、媒体対向面１００に配置された主磁極１５の端面は、第１のギャップ層１９に隣接する第１の辺と、第１の辺の一端部に接続された第２の辺と、第１の辺の他端部に接続された第３の辺とを有している。第１の辺はトラック幅を規定する。記録媒体に記録される記録ビットの端部の位置は、第１の辺の位置によって決まる。媒体対向面１００に配置された主磁極１５の端面のトラック幅方向ＴＷの幅は、主磁極１５の下端部１５Ｌに近づくに従って、すなわち第２の仮想の平面Ｐ２に近づくに従って小さくなっている。第２の辺と第３の辺がそれぞれ第２の仮想の平面Ｐ２に垂直な方向に対してなす角度は、例えば７°〜１７°の範囲内であり、１０°〜１５°の範囲内であることが好ましい。第１の辺の長さは、例えば０．０５〜０．２０μｍの範囲内である。
【００８１】
次に、本実施の形態に係る磁気ヘッドの作用および効果について説明する。この磁気ヘッドでは、記録ヘッド部９によって記録媒体に情報を記録し、再生ヘッド部８によって、記録媒体に記録されている情報を再生する。記録ヘッド部９において、第１のコイル２０および第２のコイル１０は、記録媒体に記録する情報に応じた磁界を発生する。第１のコイル２０によって発生された磁界に対応する磁束は、第１の帰磁路部４０と主磁極１５を通過する。第２のコイル１０によって発生された磁界に対応する磁束は、第２の帰磁路部３０と主磁極１５を通過する。従って、主磁極１５は、第１のコイル２０によって発生された磁界に対応する磁束と第２のコイル１０によって発生された磁界に対応する磁束とを通過させる。
【００８２】
なお、第１のコイル２０および第２のコイル１０は、直列に接続されていてもよいし、並列に接続されていてもよい。いずれにしても、主磁極１５において、第１のコイル２０によって発生された磁界に対応する磁束と第２のコイル１０によって発生された磁界に対応する磁束が同じ方向に流れるように、第１のコイル２０および第２のコイル１０は接続される。
【００８３】
主磁極１５は、上述のように第１のコイル２０および第２のコイル１０によって発生された磁界に対応する磁束を通過させて、垂直磁気記録方式によって情報を記録媒体に記録するための記録磁界を発生する。
【００８４】
シールド１６Ａ，１６Ｂ，１６Ｃ，１６Ｄは、磁気ヘッドの外部から磁気ヘッドに印加された外乱磁界を取り込む。これにより、外乱磁界が主磁極１５に集中して取り込まれることによって記録媒体に対して誤った記録が行なわれることを防止することができる。また、シールド１６Ａ，１６Ｂ，１６Ｃ，１６Ｄは、主磁極１５の端面より発生されて記録媒体の面に垂直な方向以外の方向に広がる磁束を取り込んで、この磁束が記録媒体に達することを阻止する機能を有している。
【００８５】
また、シールド１６Ａ，１６Ｂ，１６Ｃ，１６Ｄと第１の帰磁路部４０および第２の帰磁路部３０は、主磁極１５の端面より発生されて、記録媒体を磁化した磁束を還流させる機能を有している。ここで、図７を参照して、本実施の形態に係る磁気ヘッドにおける磁束の流れについて具体的に説明する。図７は、本実施の形態に係る磁気ヘッドにおける磁束の流れを示す説明図である。図７において、矢印付きの線が、磁束の流れを表している。図７に示したように、主磁極１５の端面より発生されて、記録媒体を磁化した磁束の一部は、第１のシールド１６Ａと第１の帰磁路部４０を通過して主磁極１５に還流する。また、図７に示したように、主磁極１５の端面より発生されて、記録媒体を磁化した磁束の他の一部は、第２のシールド１６Ｂと第２の帰磁路部３０を通過して主磁極１５に還流する。
【００８６】
媒体対向面１００において、シールド１６Ａ，１６Ｂ，１６Ｃ，１６Ｄの端面１６Ａａ，１６Ｂａ，１６Ｃａ，１６Ｄａは、主磁極１５の端面の周りを囲むように配置されている。従って、本実施の形態によれば、主磁極１５の端面に対して記録媒体の進行方向Ｔの前側および後側ならびにトラック幅方向ＴＷの両側において、主磁極１５の端面より発生されて記録媒体の面に垂直な方向以外の方向に広がる磁束を取り込んで、この磁束が記録媒体に達することを抑制することができる。その結果、本実施の形態によれば、スキューに起因した隣接トラック消去の発生を抑制することができる。第１のシールド１６Ａおよび第２のシールド１６Ｂは、スキューに起因した隣接トラック消去の発生を抑制することに寄与する他に、記録磁界の勾配を大きくすることに寄与する。サイドシールド１６Ｃ，１６Ｄは、特に隣接トラック消去を抑制することへの寄与が大きい。このようなシールド１６Ａ，１６Ｂ，１６Ｃ，１６Ｄの機能により、本実施の形態によれば、記録密度を高めることができる。
【００８７】
また、本実施の形態では、図２に示したように、媒体対向面１００において、トラック幅方向ＴＷにおける主磁極１５の第１および第２の側部の間隔すなわち主磁極１５の端面の幅は、第２の仮想の平面に近づくに従って小さくなっている。本実施の形態によれば、この特徴によっても、スキューに起因した隣接トラック消去の発生を抑制することができる。
【００８８】
また、本実施の形態では、媒体対向面１００において、トラック幅方向ＴＷにおけるサイドシールド１６Ｃ，１６Ｄにおける第１および第２の側壁の間隔は、主磁極１５の第１および第２の側部の間隔と同様に、第２の仮想の平面に近づくに従って小さくなっている。従って、本実施の形態によれば、媒体対向面１００において、第１の側部と第１の側壁との間隔、ならびに第２の側部と第２の側壁との間隔を、小さく、且つ均一にすることが可能になる。これにより、サイドシールド１６Ｃ，１６Ｄによって、主磁極１５の端面より発生されてトラック幅方向ＴＷの両側に広がる磁束を、効果的に取り込むことができる。その結果、本実施の形態によれば、特にサイドシールド１６Ｃ，１６Ｄの機能を高めることが可能になり、スキューに起因した隣接トラック消去の発生をより効果的に抑制することが可能になる。
【００８９】
ところで、シールド１６Ａ〜１６Ｄで取り込んだ磁束を吸収できるような、体積が大きい磁性層がシールド１６Ａ〜１６Ｄに磁気的に接続されていないと、シールド１６Ａ〜１６Ｄによって多くの磁束を取り込むことはできない。本実施の形態では、第１のシールド１６Ａと主磁極１５とを磁気的に連結する第１の帰磁路部４０（磁性層４１〜４４）と、第２のシールド１６Ｂと主磁極１５とを磁気的に連結する第２の帰磁路部３０（磁性層３１〜３６）を備えている。このような構成により、シールド１６Ａ〜１６Ｄで取り込んだ磁束は、第１の帰磁路部４０および第２の帰磁路部３０を経由して主磁極１５に流れ込む（図７参照）。本実施の形態では、シールド１６Ａ〜１６Ｄに対して、体積が大きい磁性層である第１の帰磁路部４０および第２の帰磁路部３０と主磁極１５が磁気的に接続されている。従って、本実施の形態によれば、シールド１６Ａ〜１６Ｄによって多くの磁束を取り込むことが可能になり、その結果、前述のシールド１６Ａ〜１６Ｄの効果を効果的に発揮させることができる。
【００９０】
また、本実施の形態では、第２の帰磁路部３０とは別に第２のシールド１６Ｂが設けられている。前記主断面において、第２の帰磁路部３０を構成する磁性層のうち主磁極１５から最も遠い磁性層３１は、媒体対向面１００に垂直な方向について第２のシールド１６Ｂよりも大きな長さを有している。第２のコイル１０は、空間Ｓ２を通過している。このような構造により、本実施の形態によれば、磁性層３１が第２のシールドを兼ねた構造に比べて、第２のシールド１６Ｂと主磁極１５とを十分に近付けることが可能になり、その結果、第２のシールド１６Ｂの機能を高めることが可能になる。
【００９１】
ここで、磁性層３２，３４の役割について説明する。まず、磁性層３２，３４がなく、第２のシールド１６Ｂと磁性層３１が磁気的に連結されていない場合を考える。この場合、第２のシールド１６Ｂまたはサイドシールド１６Ｃ，１６Ｄで取り込まれて下方に向かった磁束は、磁性層３１の方へ流れることができないため、上方に向かうように戻る。その結果、第２のシールド１６Ｂまたはサイドシールド１６Ｃ，１６Ｄにおいて、下方に向かう磁束と上方に向かう磁束が生じ、その結果、第２のシールド１６Ｂまたはサイドシールド１６Ｃ，１６Ｄで取り込まれた磁束の一部が媒体対向面１００の外部に漏れ出す。これにより、隣接トラック消去が生じるおそれがある。これに対し、磁性層３２，３４によって第２のシールド１６Ｂと磁性層３１が磁気的に連結されていると、サイドシールド１６Ｃ，１６Ｄで取り込まれた磁束は上方と下方へ分流し、第２のシールド１６Ｂで取り込まれた磁束は主に下方に向かう。これにより、第２のシールド１６Ｂまたはサイドシールド１６Ｃ，１６Ｄで取り込まれた磁束の一部が媒体対向面１００の外部に漏れ出すことによる隣接トラック消去の発生が防止される。
【００９２】
上述の磁性層３２，３４についての説明は、磁性層４２にも当てはまる。すなわち、磁性層４２によって第１のシールド１６Ａと磁性層４４が磁気的に連結されていると、サイドシールド１６Ｃ，１６Ｄで取り込まれた磁束は上方と下方へ分流し、第１のシールド１６Ａで取り込まれた磁束は主に上方に向かう。これにより、第１のシールド１６Ａまたはサイドシールド１６Ｃ，１６Ｄで取り込まれた磁束の一部が媒体対向面１００の外部に漏れ出すことによる隣接トラック消去の発生が防止される。
【００９３】
ところで、前記主断面において、媒体対向面１００に垂直な方向についての第２のシールド１６Ｂの長さが大きすぎると、主磁極１５から第２のシールド１６Ｂへの磁束の漏れが多くなり、主磁極１５によって多くの磁束を媒体対向面１００まで導くことができなくなる。そのため、前記主断面において、媒体対向面１００に垂直な方向についての第２のシールド１６Ｂの長さは大きすぎないようにする必要がある。この場合、前記主断面において、媒体対向面１００に垂直な方向についての磁性層３２，３４の長さが第２のシールド１６Ｂの長さと等しいか、それより小さい場合には、磁性層３２，３４によって第２のシールド１６Ｂから磁性層３１へ多くの磁束を導くことができなくなる。これに対し、本実施の形態では、前記主断面において、磁性層３２，３４は、それぞれ、媒体対向面１００に垂直な方向について第２のシールド１６Ｂよりも大きく磁性層３１よりも小さな長さを有している。これにより、本実施の形態によれば、磁性層３２，３４によって第２のシールド１６Ｂから磁性層３１へ多くの磁束を導くことが可能になる。
【００９４】
同様に、本実施の形態では、前記主断面において、磁性層４２は、媒体対向面１００に垂直な方向について第１のシールド１６Ａよりも大きく磁性層４４よりも小さな長さを有している。これにより、本実施の形態によれば、磁性層４２によって第１のシールド１６Ａから磁性層４４へ多くの磁束を導くことが可能になる。
【００９５】
また、磁性層３２は、媒体対向面１００と第２のコイル１０との間に配置されている。磁性層３２の端面が媒体対向面１００において広い面積にわたって露出していると、第２のコイル１０が発生する熱によって磁性層３２が膨張し、その結果、媒体対向面１００の一部である磁性層３２の端面が突出するおそれがある。
【００９６】
本実施の形態では、磁性層３２と媒体対向面１００との間に、磁性層３２よりも硬い絶縁層５４が存在している。この絶縁層５４は、磁性層３２よりも広い領域に存在している。そのため、絶縁層５４は、第２のコイル１０が発生する熱による磁性層３２の位置の変化を抑制する機能を有する。よって、本実施の形態によれば、第２のコイル１０が発生する熱によって媒体対向面１００の一部が突出することを抑制することができる。
【００９７】
また、記録媒体に記録される記録ビットの端部の位置は、媒体対向面１００に配置された主磁極１５の端面のうち、記録媒体の進行方向Ｔの前側に配置された端部の位置によって決まる。そのため、記録ビットの端部の位置を精度よく規定するためには、第１のシールド１６Ａおよび第２のシールド１６Ｂのうち、特に第１のシールド１６Ａが多くの磁束を取り込むことができることが重要である。本実施の形態では、第１のシールド１６Ａは、第２のシールド１６Ｂよりも体積が大きく、これにより、第２のシールド１６Ｂよりも多くの磁束を取り込むことができる。
【００９８】
また、記録密度を高めるために記録信号の周波数が高くなってくると、磁気ヘッドには、主磁極１５の端面より発生される磁束の方向の変化の速度の向上が求められる。また、前述のように、記録ビットの端部の位置は、媒体対向面１００に配置された主磁極１５の端面のうち、記録媒体の進行方向Ｔの前側に配置された端部の位置によって決まる。そのため、記録密度を高めるためには、主磁極１５の端面より発生される磁束の方向の変化の速度の向上と共に、第１のシールド１６Ａを通過する磁束の方向の変化の速度の向上も求められる。この要求に応えるためには、第１のシールド１６Ａと主磁極１５を経由する磁路の長さを短くすることが有効である。本実施の形態では、主磁極１５と第１のシールド１６Ａとを接続する第１の帰磁路部４０を設けることによって、第１の帰磁路部４０が設けられていない場合に比べて、上記の磁路の長さを短くすることができる。
【００９９】
また、本実施の形態では、第１の空間Ｓ１を通過する第１のコイル要素（２１Ａ，２２Ａ）は、第２の空間Ｓ２を通過する第２のコイル要素（１０Ａ，１０Ｂ，１０Ｃ，１０Ｄ）よりも数が少ない。本実施の形態によれば、第１のコイル要素の数を少なくすることによって、第１のシールド１６Ａと主磁極１５とを経由する磁路の長さをより短くすることが可能になる。これにより、主磁極１５の端面より発生される磁束の方向の変化の速度と、第１のシールド１６Ａを通過する磁束の方向の変化の速度の両方を向上させることができ、その結果、記録密度を高めることが可能になる。
【０１００】
しかし、第１のコイル要素の数を少なくしただけでは、第１のコイル２０による起磁力が小さくなって、主磁極１５から十分な大きさの記録磁界を発生させることができなくなるおそれがある。これに対し、本実施の形態では、第２のコイル要素を多くして、第２のコイル１０による起磁力を大きくすることが可能である。すなわち、前述の第１のコイル要素は第２のコイル要素よりも数が少ないという本実施の形態における要件は、第２のコイル要素は第１のコイル要素よりも数が多いということと等価である。そのため、本実施の形態では、第１のコイル要素の数に制約されることなく、第２のコイル要素の数を多くすることができる。そして、このように第２のコイル要素の数を多くすることによって、第２のコイル１０による起磁力を大きくすることが可能になる。これにより、本実施の形態によれば、第１のコイル要素の数を少なくした場合でも、主磁極１５から十分な大きさの記録磁界を発生させることが可能になる。以上のことから、本実施の形態によれば、第１のシールド１６Ａと主磁極１５とを経由する磁路の長さを短くしながら、主磁極１５から十分な大きさの記録磁界を発生させることが可能になる。
【０１０１】
本実施の形態では、特に、第１のコイル２０の巻き数は約２回であり、第１のコイル要素の数は２つであり、第２のコイル１０の巻き数は約４回であり、第２のコイル要素の数は４つである。ここで、第１のコイル２０の巻き数と第２のコイル１０の巻き数が共に３回で、第１のコイル要素の数と第２のコイル要素の数が共に３つである比較例の磁気ヘッドを考える。比較例の磁気ヘッドのその他の構成は、本実施の形態に係る磁気ヘッドと同様である。本実施の形態における第１および第２のコイル２０，１０による合計の起磁力は、比較例の磁気ヘッドにおける第１および第２のコイル２０，１０による合計の起磁力とほぼ等しくなる。一方、本実施の形態では、比較例の磁気ヘッドに比べて、第１のコイル要素の数が少ないことから、第１のシールド１６Ａと主磁極１５とを経由する磁路の長さを短くすることができる。このようにして、本実施の形態によれば、主磁極１５から発生される記録磁界の大きさを比較例の磁気ヘッドと同等にしながら、比較例の磁気ヘッドよりも、第１のシールド１６Ａと主磁極１５とを経由する磁路の長さを短くすることができる。
【０１０２】
また、図１に示したように、本実施の形態では、第１の帰磁路部４０（磁性層４１）と主磁極１５との間には第１の界面Ｓ１０が形成され、第２の帰磁路部３０（磁性層３６）と主磁極１５との間には第２の界面Ｓ２０が形成されている。第１の界面Ｓ１０は、媒体対向面１００に最も近い第１の端部Ｅ１を有し、第２の界面Ｓ２０は、媒体対向面１００に最も近い第２の端部Ｅ２を有している。第１の端部Ｅ１は、第２の端部Ｅ２よりも、媒体対向面１００により近い位置に配置されている。これによっても、第１のシールド１６Ａと主磁極１５とを経由する磁路の長さを短くすることができる。
【０１０３】
以下、主磁極１５と第１のシールド１６Ａとの関係に関する特徴と、それによる効果について詳しく説明する。図６に示したように、本実施の形態では、主磁極１５の上面１５Ｔは、第１の仮想の平面Ｐ１および媒体対向面１００に対して傾斜した第１の部分１５Ｔ１を含み、主磁極１５の下端部１５Ｌは、第２の仮想の平面Ｐ２および媒体対向面１００に対して傾斜した第３の部分１５Ｌ１を含んでいる。このような形状の主磁極１５によれば、媒体対向面１００における主磁極１５の厚みを小さくすることができることから、スキューに起因した隣接トラック消去の発生を抑制することができる。また、媒体対向面１００から離れた位置では主磁極１５の厚みを大きくすることができることから、主磁極１５によって多くの磁束を媒体対向面１００まで導くことができ、その結果、オーバーライト特性等の記録特性を向上させることができる。
【０１０４】
また、本実施の形態では、媒体対向面１００に垂直な方向についての第１の部分１５Ｔ１の長さＬＡは、媒体対向面１００に垂直な方向についての第１の傾斜面１６Ａｂの長さＬＣよりも小さい。もし、長さＬＡが、図６に示された長さＬＣと等しい場合には、広い領域において、第１の部分１５Ｔ１と第１の傾斜面１６Ａｂとが小さな間隔で対向し、その結果、主磁極１５から第１のシールド１６Ａへの磁束の漏れが多くなり、オーバーライト特性等の記録特性が低下してしまうという問題が発生する。これを防止するために、長さＬＡとＬＣの関係が図６に示した関係とは逆になるように長さＬＣを短くすると、主磁極１５に対して記録媒体の進行方向Ｔの前側に配置された第１のシールド１６Ａの体積が小さくなって、第１のシールド１６Ａの機能が損なわれてしまう。すなわち、第１のシールド１６Ａの体積が小さくなると、第１のシールド１６Ａで磁束の飽和が生じやすくなる。すると、第１のシールド１６Ａから媒体対向面１００に向けて磁束が漏れて、この漏れた磁束によって、記録媒体に記録された情報が誤って消去されるという問題が発生する。
【０１０５】
本実施の形態では、長さＬＡを長さＬＣよりも小さくすることにより、第１のシールド１６Ａの機能を損なうことなく、第１の部分１５Ｔ１と第１の傾斜面１６Ａｂとが対向する領域の面積を小さくして、主磁極１５から第１のシールド１６Ａへの磁束の漏れを抑制することが可能になる。しかし、それだけでは、第２の部分１５Ｔ２と第１の仮想の平面Ｐ１との間の距離Ｄ１が小さくなるため、媒体対向面１００から離れた位置における主磁極１５の厚みを、あまり大きくすることができない。
【０１０６】
そこで、本実施の形態では、第４の部分１５Ｌ２と第２の仮想の平面Ｐ２との間の距離Ｄ２を、第２の部分１５Ｔ２と第１の仮想の平面Ｐ１との間の距離Ｄ１よりも大きくし、且つ第１の部分１５Ｔ１の長さＬＡを、第３の部分１５Ｌ１の長さＬＢよりも小さくしている。これにより、本実施の形態によれば、上述のように主磁極１５から第１のシールド１６Ａへの磁束の漏れを抑制しながら、媒体対向面１００における主磁極１５の厚みを小さくし、且つ主磁極１５のうち、第３の部分１５Ｌ１よりも媒体対向面１００からより遠い部分の厚みを十分に大きくして、スキューに起因した問題の発生を防止し、且つ記録特性を向上させることが可能になる。
【０１０７】
以上説明した主磁極１５と第１のシールド１６Ａとの関係に関する特徴により、本実施の形態によれば、第１のシールド１６Ａの機能を損なうことなく、スキューに起因した問題の発生を防止し、且つ記録特性を向上させることが可能になる。
【０１０８】
［第２の実施の形態］
次に、図８および図９を参照して、本発明の第２の実施の形態に係る磁気ヘッドについて説明する。図８は、本実施の形態に係る磁気ヘッドを示す断面図である。なお、図８は媒体対向面および基板の上面に垂直な断面、特に前記主断面を示している。図９は、本実施の形態に係る磁気ヘッドにおける第１のコイルの第２層を示す平面図である。
【０１０９】
本実施の形態に係る磁気ヘッドの構成は、以下の点で第１の実施の形態と異なっている。本実施の形態に係る磁気ヘッドでは、第１のコイル２０は、第１の実施の形態における第２層２２の代りに、第２層１２２を含んでいる。図９に示したように、第２層１２２は、第１の帰磁路部４０の一部である磁性層４３の周りに約２回巻かれている。また、本実施の形態に係る磁気ヘッドは、第２層１２２の巻線間に配置された絶縁材料よりなる絶縁層６５を備えている。第２層１２２、磁性層４２，４３、絶縁膜６４および絶縁層６５，６６の上面は平坦化されている。絶縁層６５は、例えばフォトレジストによって形成されている。
【０１１０】
ここで、図９を参照して、第２層１２２について更に説明する。図９に示したように、第２層１２２は、第１の空間Ｓ１内のうち特に磁性層４２と磁性層４３との間を通過するように延びる２つの第１のコイル要素１２２Ａ，１２２Ｂを含んでいる。第１のコイル要素１２２Ａ，１２２Ｂは、媒体対向面１００側からこの順に、媒体対向面１００に垂直な方向に並んでいる。また、第２層１２２は、絶縁層６２および絶縁膜６４を貫通して第１層２１のコイル接続部２１Ｅ（図４参照）に電気的に接続されたコイル接続部１２２Ｓを有している。第１のコイル要素２１Ａ，１２２Ａ，１２２Ｂを除く第１のコイル２０のいかなる部分も、第１の空間Ｓ１内には存在していない。図３、図４および図９に示した例では、第１のコイル２０と第２のコイル１０は、直列に接続されている。
【０１１１】
本実施の形態では、第１のコイル２０の巻き数の合計（第１層２１の巻き数と第２層１２２の巻き数の合計）は約３回であり、第１の空間Ｓ１を通過する第１のコイル要素の数は３つである。また、第１の実施の形態で説明したように、第２のコイル１０の巻き数は約４回であり、第２の空間Ｓ２を通過する第２のコイル要素の数は４つである。このように、本実施の形態では、第１のコイル要素は、第２のコイル要素よりも数が少ない。
【０１１２】
本実施の形態におけるその他の構成、作用および効果は、第１の実施の形態と同様である。
【０１１３】
［第３の実施の形態］
次に、図１０を参照して、本発明の第３の実施の形態に係る磁気ヘッドについて説明する。図１０は、本実施の形態に係る磁気ヘッドを示す断面図である。なお、図１０は媒体対向面および基板の上面に垂直な断面、特に前記主断面を示している。
【０１１４】
本実施の形態に係る磁気ヘッドの構成は、以下の点で第１の実施の形態と異なっている。本実施の形態に係る磁気ヘッドでは、第２のシールド１６Ｂ、磁性層３４〜３６および絶縁層５５，５６が設けられていない。非磁性層５７は、第２のコイル１０、磁性層３２、絶縁膜５２および絶縁層５３，５４の上面の上に配置されている。磁性層３１，３２は、それぞれ、媒体対向面１００において主磁極１５の端面に対して記録媒体の進行方向Ｔの後側に配置された端面を有している。磁性層３３の上面は、主磁極１５の下端部１５Ｌに接している。磁性層４２は、第１および第２の接続面を有しておらず、その上面が媒体対向面１００まで延びて、その前端面に接続されている。磁性層４４は、媒体対向面１００に配置された端面を有している。
【０１１５】
本実施の形態では、第２の帰磁路部３０は、媒体対向面１００において主磁極１５の端面に対して記録媒体の進行方向Ｔの後側に配置された端面、すなわち磁性層３１の端面および磁性層３２の端面を有している。第２の帰磁路部３０の上記端面（磁性層３１，３２の端面）は、磁気ヘッドの外部から磁気ヘッドに印加された外乱磁界を取り込む。また、主磁極１５の端面より発生されて、記録媒体を磁化した磁束の一部は、第２の帰磁路部３０の上記端面を通過して主磁極１５に還流する。
【０１１６】
なお、本実施の形態における第１のコイル２０は、第２層２２の代りに、第２の実施の形態で説明した第２層１２２を含んでいてもよい。本実施の形態におけるその他の構成、作用および効果は、第２のシールド１６Ｂに関わる点を除いて、第１または第２の実施の形態と同様である。
【０１１７】
［第４の実施の形態］
次に、図１１および図１２を参照して、本発明の第４の実施の形態に係る磁気ヘッドについて説明する。図１１は、本実施の形態に係る磁気ヘッドを示す断面図である。図１２は、本実施の形態に係る磁気ヘッドにおける主磁極の媒体対向面の近傍の部分を示す断面図である。なお、図１１および図１２は媒体対向面および基板の上面に垂直な断面、特に前記主断面を示している。
【０１１８】
本実施の形態に係る磁気ヘッドの構成は、以下の点で第２の実施の形態と異なっている。本実施の形態に係る磁気ヘッドは、第２の実施の形態における主磁極１５の代りに、主磁極１１５を備えている。主磁極１１５は、記録媒体の進行方向Ｔの前側の端に位置する面である上面１１５Ｔと、上面１１５Ｔとは反対側の下端部１１５Ｌと、トラック幅方向ＴＷの両側に配置された図示しない第１および第２の側部とを有している。主磁極１１５の材料、形状および配置は、上面１１５Ｔおよび下端部１１５Ｌの形状を除いて、主磁極１５と同様である。
【０１１９】
また、本実施の形態に係る磁気ヘッドでは、第２のシールド１６Ｂ、磁性層３４および絶縁層５５が設けられていない。絶縁層５６は、第２のコイル１０、磁性層３２、絶縁膜５２および絶縁層５３，５４の上面の上に配置されている。磁性層３１，３２は、それぞれ、媒体対向面１００において主磁極１１５の端面に対して記録媒体の進行方向Ｔの後側に配置された端面を有している。第２の帰磁路部３０は、媒体対向面１００において主磁極１１５の端面に対して記録媒体の進行方向Ｔの後側に配置された端面、すなわち磁性層３１の端面および磁性層３２の端面を有している。磁性層４２の第２の接続面は、媒体対向面１００に平行である。
【０１２０】
次に、図１２を参照して、主磁極１１５の上面１１５Ｔおよび下端部１１５Ｌの形状について詳しく説明する。主磁極１１５の上面１１５Ｔと下端部１１５Ｌは、それぞれ、媒体対向面１００に近い順に、連続するように配置された第１の部分、第２の部分、第３の部分および第４の部分を含んでいる。以下、上面１１５Ｔにおける第１の部分、第２の部分、第３の部分および第４の部分を、それぞれ記号１１５Ｔ１，１１５Ｔ２，１１５Ｔ３，１１５Ｔ４で表し、下端部１１５Ｌにおける第１の部分、第２の部分、第３の部分および第４の部分を、それぞれ記号１１５Ｌ１，１１５Ｌ２，１１５Ｌ３，１１５Ｌ４で表す。
【０１２１】
上面１１５Ｔの第１の部分１１５Ｔ１は、媒体対向面１００に配置された第１の端部と、その反対側の第２の端部とを有している。第２の部分１１５Ｔ２は、第１の部分１１５Ｔ１の第２の端部に接続されている。第３の部分１１５Ｔ３は、第２の部分１１５Ｔ２に接続された第３の端部と、第３の端部よりも媒体対向面１００からより遠い位置に配置された第４の端部とを有している。第４の部分１１５Ｔ４は、第３の部分１１５Ｔ３の第４の端部に接続されている。
【０１２２】
下端部１１５Ｌの第１の部分１１５Ｌ１は、媒体対向面１００に配置された第１の端部と、その反対側の第２の端部とを有している。第２の部分１１５Ｌ２は、第１の部分１１５Ｌ１の第２の端部に接続されている。第３の部分１１５Ｌ３は、第２の部分１１５Ｌ２に接続された第３の端部と、第３の端部よりも媒体対向面１００からより遠い位置に配置された第４の端部とを有している。第１ないし第３の部分１１５Ｌ１〜１１５Ｌ３は、２つの面が交わってできるエッジでもよいし、２つの面を連結する面でもよい。第４の部分１１５Ｌ４は、第３の部分１１５Ｌ３の第４の端部に接続された面である。
【０１２３】
主磁極１１５の端面は、記録媒体の進行方向Ｔの前側に配置された端部と記録媒体の進行方向Ｔの後側に配置された端部とを有している。主磁極１１５の端面の記録媒体の進行方向Ｔの前側に配置された端部は、上面１１５Ｔの第１の部分１１５Ｔ１の第１の端部でもある。主磁極１１５の端面の記録媒体の進行方向Ｔの後側に配置された端部は、下端部１１５Ｌの第１の部分１１５Ｌ１の第１の端部でもある。ここで、図１２に示したように、主磁極１１５の端面の記録媒体の進行方向Ｔの前側に配置された端部（上面１１５Ｔの第１の部分１１５Ｔ１の第１の端部）を通り、媒体対向面１００および記録媒体の進行方向Ｔに垂直な第１の仮想の平面Ｐ１と、主磁極１１５の端面の記録媒体の進行方向Ｔの後側に配置された端部（下端部１１５Ｌの第１の部分１１５Ｌ１の第１の端部）を通り、媒体対向面１００および記録媒体の進行方向Ｔに垂直な第２の仮想の平面Ｐ２とを想定する。
【０１２４】
上面１１５Ｔの第１の部分１１５Ｔ１は、その第２の端部がその第１の端部よりも第１および第２の仮想の平面Ｐ１，Ｐ２からより遠い位置に配置されるように、第１および第２の仮想の平面Ｐ１，Ｐ２および媒体対向面１００に対して傾斜している。すなわち、第１の部分１１５Ｔ１は、その第２の端部がその第１の端部に対して記録媒体の進行方向Ｔの前側に配置されるように傾斜している。第２および第４の部分１１５Ｔ２，１１５Ｔ４は、実質的に第１および第２の仮想の平面Ｐ１，Ｐ２に平行である。第３の部分１１５Ｔ３は、その第４の端部がその第３の端部よりも第１および第２の仮想の平面Ｐ１，Ｐ２からより遠い位置に配置されるように、第１および第２の仮想の平面Ｐ１，Ｐ２および媒体対向面１００に対して傾斜している。すなわち、第３の部分１１５Ｔ３は、その第４の端部がその第３の端部に対して記録媒体の進行方向Ｔの前側に配置されるように傾斜している。
【０１２５】
下端部１１５Ｌの第１の部分１１５Ｌ１は、その第２の端部がその第１の端部よりも第１および第２の仮想の平面Ｐ１，Ｐ２からより遠い位置に配置されるように、第１および第２の仮想の平面Ｐ１，Ｐ２および媒体対向面１００に対して傾斜している。すなわち、第１の部分１１５Ｌ１は、その第２の端部がその第１の端部に対して記録媒体の進行方向Ｔの後側に配置されるように傾斜している。第２および第４の部分１１５Ｌ２，１１５Ｌ４は、実質的に第１および第２の仮想の平面Ｐ１，Ｐ２に平行である。第３の部分１１５Ｌ３は、その第４の端部がその第３の端部よりも第１および第２の仮想の平面Ｐ１，Ｐ２からより遠い位置に配置されるように、第１および第２の仮想の平面Ｐ１，Ｐ２および媒体対向面１００に対して傾斜している。すなわち、第３の部分１１５Ｌ３は、その第４の端部がその第３の端部に対して記録媒体の進行方向Ｔの後側に配置されるように傾斜している。
【０１２６】
第１のシールド１６Ａは、上面１１５Ｔの第３の部分１１５Ｔ３と媒体対向面１００の間に配置された部分を含んでいる。また、第１の実施の形態で説明したように、第１のシールド１６Ａは、下面である第１の傾斜面１６Ａｂを有している。本実施の形態では、第１の傾斜面１６Ａｂは、ギャップ部１７の第１のギャップ層１９を介して上面１１５Ｔの第１の部分１１５Ｔ１に対向する部分を含んでいる。第１の傾斜面１６Ａｂは、第１および第２の仮想の平面Ｐ１，Ｐ２および媒体対向面１００に対して傾斜している。
【０１２７】
本実施の形態では、非磁性層５７の上面は、傾斜面ＵＬ１、平坦部ＵＬ２、傾斜面ＵＬ３および底部ＵＬ４を含んでいる。傾斜面ＵＬ１，ＵＬ３は、第１および第２の仮想の平面Ｐ１，Ｐ２および媒体対向面１００に対して傾斜している。平坦部ＵＬ２と底部ＵＬ４は、実質的に第１および第２の仮想の平面Ｐ１，Ｐ２に平行である。第１ないし第４の部分１１５Ｌ１，１１５Ｌ２，１１５Ｌ３，１１５Ｌ４は、それぞれ、ギャップ部１７の第２のギャップ層１８を介して、傾斜面ＵＬ１、平坦部ＵＬ２、傾斜面ＵＬ３および底部ＵＬ４に対向している。
【０１２８】
ここで、図１２に示したように、媒体対向面１００に垂直な方向についての上面１１５Ｔの第１の部分１１５Ｔ１の長さを記号ＬＡ１で表し、媒体対向面１００に垂直な方向についての下端部１１５Ｌの第１の部分１１５Ｌ１の長さを記号ＬＢ１で表し、媒体対向面１００に垂直な方向についての第１の傾斜面１６Ａｂの長さを記号ＬＣで表す。本実施の形態では、長さＬＡ１は、長さＬＢ１およびＬＣよりも小さい。長さＬＡ１は、例えば０．０５〜０．１５μｍの範囲内である。長さＬＢ１は、例えば０．１〜０．５μｍの範囲内である。長さＬＣは、例えば０．２〜０．６μｍの範囲内である。
【０１２９】
また、図１２に示したように、媒体対向面１００に垂直な方向についての上面１１５Ｔの第２の部分１１５Ｔ２の長さを記号ＬＡ２で表し、媒体対向面１００に垂直な方向についての下端部１１５Ｌの第２の部分１１５Ｌ２の長さを記号ＬＢ２で表す。長さＬＡ２は、例えば０．２〜０．６μｍの範囲内である。長さＬＢ２は、例えば０．２〜０．６μｍの範囲内である。
【０１３０】
なお、図１２では、上面１１５Ｔの第２の部分１１５Ｔ２と第３の部分１１５Ｔ３との境界位置と媒体対向面１００との間の距離（長さＬＡ１と長さＬＡ２との和と同じ）と、下端部１１５Ｌの第２の部分１１５Ｌ２と第３の部分１１５Ｌ３との境界位置と媒体対向面１００との間の距離（長さＬＢ１と長さＬＢ２との和と同じ）とが等しくなるように描かれているが、これらの距離は互いに異なっていてもよい。また、図１２では、上面１１５Ｔの第３の部分１１５Ｔ３と第４の部分１１５Ｔ４との境界位置と媒体対向面１００との間の距離と、下端部１１５Ｌの第３の部分１１５Ｌ３と第４の部分１１５Ｌ４との境界位置と媒体対向面１００との間の距離とが等しくなるように描かれているが、これらの距離は互いに異なっていてもよい。なお、媒体対向面１００に垂直な方向についてのトラック幅規定部の長さすなわちネックハイトは、上記の長さＬＡ１，ＬＢ１や距離とは独立して、任意に設定可能である。
【０１３１】
図１２に示したように、第１の仮想の平面Ｐ１に対する上面１１５Ｔの第１の部分１１５Ｔ１の傾斜角度を記号θＴ１で表し、第２の仮想の平面Ｐ２に対する下端部１１５Ｌの第１の部分１１５Ｌ１の傾斜角度を記号θＬ１で表す。傾斜角度θＴ１は、例えば２２°〜３５°の範囲内である。傾斜角度θＬ１は、例えば３０°〜５０°の範囲内である。
【０１３２】
また、図１２に示したように、上面１１５Ｔの第３の部分１１５Ｔ３の第３の端部を通り、第１および第２の仮想の平面Ｐ１，Ｐ２に平行な仮想の平面Ｐ３と、下端部１１５Ｌの第３の部分１１５Ｌ３の第３の端部を通り、第１および第２の仮想の平面Ｐ１，Ｐ２に平行な仮想の平面Ｐ４を想定する。そして、仮想の平面Ｐ３に対する第３の部分１１５Ｔ３の傾斜角度を記号θＴ３で表し、仮想の平面Ｐ４に対する第３の部分１１５Ｌ３の傾斜角度を記号θＬ３で表す。傾斜角度θＴ３，θＬ３は、いずれも、例えば２２°〜６０°の範囲内である。
【０１３３】
上面１１５Ｔの第２および第４の部分１１５Ｔ２，１１５Ｔ４ならびに下端部１１５Ｌの第２および第４の部分１１５Ｌ２，１１５Ｌ４は、実質的に第１および第２の仮想の平面Ｐ１，Ｐ２に平行である。図１２に示したように、媒体対向面１００における主磁極１１５の厚み、すなわち第１の仮想の平面Ｐ１と第２の仮想の平面Ｐ２との間の距離を記号Ｄ０で表す。また、上面１１５Ｔの第２の部分１１５Ｔ２と第１の仮想の平面Ｐ１との間の距離を記号Ｄ１で表し、下端部１１５Ｌの第２の部分１１５Ｌ２と第２の仮想の平面Ｐ２との間の距離を記号Ｄ２で表す。本実施の形態では、距離Ｄ２は距離Ｄ１よりも大きい。距離Ｄ０は、例えば０．０５〜０．１μｍの範囲内である。距離Ｄ１は、例えば０．０２〜０．１μｍの範囲内である。距離Ｄ２は、例えば０．１〜０．５μｍの範囲内である。
【０１３４】
また、上面１１５Ｔの第４の部分１１５Ｔ４と仮想の平面Ｐ３との間の距離を記号Ｄ３で表し、下端部１１５Ｌの第４の部分１１５Ｌ４と仮想の平面Ｐ４との間の距離を記号Ｄ４で表す。距離Ｄ３，Ｄ４は、いずれも、例えば０．１〜０．５μｍの範囲内である。
【０１３５】
以上説明したように、本実施の形態では、主磁極１１５の上面１１５Ｔは、第１および第２の仮想の平面Ｐ１，Ｐ２および媒体対向面１００に対して傾斜した第１および第３の部分１１５Ｔ１，１１５Ｔ３を含んでいる。これにより、本実施の形態によれば、媒体対向面１００における主磁極１１５の厚みを小さくし、且つ主磁極１１５のうち、第３の部分１１５Ｔ３よりも媒体対向面１００からより遠い部分の厚みを十分に大きくすることが可能になる。更に、本実施の形態では、主磁極１１５の下端部１１５Ｌは、第１および第２の仮想の平面Ｐ１，Ｐ２および媒体対向面１００に対して傾斜した第１および第３の部分１１５Ｌ１，１１５Ｌ３を含んでいる。これにより、本実施の形態によれば、媒体対向面１００における主磁極１１５の厚みを小さくし、且つ主磁極１１５のうち、第３の部分１１５Ｌ３よりも媒体対向面１００からより遠い部分の厚みを十分に大きくすることが可能になる。このように、本実施の形態によれば、媒体対向面１００における主磁極１１５の厚みを小さくすることができることから、スキューに起因した隣接トラック消去の発生を抑制することができる。また、媒体対向面１００から離れた位置では主磁極１１５の厚みを大きくすることができることから、主磁極１１５によって多くの磁束を媒体対向面１００まで導くことができ、その結果、オーバーライト特性等の記録特性を向上させることができる。
【０１３６】
ところで、第１のシールド１６Ａは、上面１１５Ｔの第３の部分１１５Ｔ３と媒体対向面１００の間に配置された部分を含んでいる。第３の部分１１５Ｔ３と第１のシールド１６Ａと間の距離が小さくなると、第３の部分１１５Ｔ３から第１のシールド１６Ａへの磁束の漏れが多くなり、記録特性が低下してしまうという問題が発生する。
【０１３７】
本実施の形態では、主磁極１１５の上面１１５Ｔが第２の部分１１５Ｔ２を含むことにより、第２の部分１１５Ｔ２がない場合に比べて、第３の部分１１５Ｔ３と第１のシールド１６Ａとの間の距離を大きくすることが可能になる。これにより、本実施の形態によれば、主磁極１１５から第１のシールド１６Ａへの磁束の漏れによって記録特性が低下することを防止することができる。
【０１３８】
また、本実施の形態では、上面１１５Ｔにおいて、第２および第４の部分１１５Ｔ２，１１５Ｔ４は、実質的に第１および第２の仮想の平面Ｐ１，Ｐ２に平行であり、第３の部分１１５Ｔ３は、第１および第２の仮想の平面Ｐ１，Ｐ２および媒体対向面１００に対して傾斜している。そのため、本実施の形態によれば、第３の部分１１５Ｔ３が第１および第２の仮想の平面Ｐ１，Ｐ２に対して垂直である場合に比べて、第３の部分１１５Ｔ３と第２および第４の部分１１５Ｔ２，１１５Ｔ４との間に形成される２つの角の角度を大きくして、これらの角から第１のシールド１６Ａへの磁束の漏れを抑制することができる。
【０１３９】
また、本実施の形態では、下端部１１５Ｌにおいて、第２および第４の部分１１５Ｌ２，１１５Ｌ４は、実質的に第１および第２の仮想の平面Ｐ１，Ｐ２に平行であり、第３の部分１１５Ｌ３は、第１および第２の仮想の平面Ｐ１，Ｐ２および媒体対向面１００に対して傾斜している。そのため、本実施の形態によれば、第３の部分１１５Ｌ３が第１および第２の仮想の平面Ｐ１，Ｐ２に対して垂直である場合に比べて、第３の部分１１５Ｌ３と第２および第４の部分１１５Ｌ２，１１５Ｌ４との間に形成される２つの角の角度を大きくして、これらの角からの磁束の漏れを抑制することができる。
【０１４０】
以上説明した主磁極１１５の形状の特徴により、本実施の形態によれば、スキューに起因した問題の発生を防止し、且つ記録特性を向上させることが可能になる。
【０１４１】
また、本実施の形態では、第２の帰磁路部３０は、媒体対向面１００において主磁極１１５の端面に対して記録媒体の進行方向Ｔの後側に配置された端面、すなわち磁性層３１の端面および磁性層３２の端面を有している。第２の帰磁路部３０の上記端面（磁性層３１，３２の端面）は、磁気ヘッドの外部から磁気ヘッドに印加された外乱磁界を取り込む。また、主磁極１１５の端面より発生されて、記録媒体を磁化した磁束の一部は、第２の帰磁路部３０の上記端面を通過して主磁極１１５に還流する。
【０１４２】
なお、本実施の形態における第１のコイル２０は、第２層１２２の代りに、第１の実施の形態で説明した第２層２２を含んでいてもよい。本実施の形態におけるその他の構成、作用および効果は、第１または第２の実施の形態と同様である。
【０１４３】
［第５の実施の形態］
次に、図１３を参照して、本発明の第５の実施の形態に係る磁気ヘッドについて説明する。図１３は、本実施の形態に係る磁気ヘッドを示す断面図である。なお、図１３は媒体対向面および基板の上面に垂直な断面、特に前記主断面を示している。
【０１４４】
本実施の形態に係る磁気ヘッドの構成は、以下の点で第４の実施の形態と異なっている。本実施の形態に係る磁気ヘッドでは、主磁極１１５の下端部１１５Ｌは、磁性層３６の上面に接していない。ギャップ部１７の第２のギャップ層１８は、サイドシールド１６Ｃ，１６Ｄの側壁、非磁性層５７の上面および磁性層３６の上面に沿って配置されている。第２の帰磁路部３０のコア部（磁性層３３，３５，３６）は、第２のギャップ層１８を介して、主磁極１１５のうちの媒体対向面１００から離れた部分に対向する端面、すなわち磁性層３６の上面を有している。第２のギャップ層１８のうち、主磁極１１５のうちの媒体対向面１００から離れた部分と第２の帰磁路部３０のコア部の上記端面（磁性層３６の上面）との間に配置された部分は、本発明における「非磁性層」に対応する。
【０１４５】
本実施の形態では、第２の帰磁路部３０のコア部（磁性層３３，３５，３６）は、主磁極１１５に接続されていない。しかし、第２の帰磁路部３０のコア部の上記端面（磁性層３６の上面）は、主磁極１１５の下端部１１５Ｌに十分に近いことから、第２の帰磁路部３０を通過する磁束を主磁極１１５に導くことが可能である。
【０１４６】
本実施の形態におけるその他の構成、作用および効果は、第４の実施の形態と同様である。
【０１４７】
なお、本発明は、上記各実施の形態に限定されず、種々の変更が可能である。例えば、第１のコイル２０は、第１層および第２層のうち、いずれか一方のみを備えていてもよい。また、請求の範囲の要件を満たす限り、第１のコイル要素の数と、第２のコイル要素の数は、各実施の形態に示した例に限らず、任意である。
【０１４８】
また、各実施の形態において、サイドシールド１６Ｃ，１６Ｄは設けられていなくてもよい。
【符号の説明】
【０１４９】
１０…第２のコイル、１０Ａ，１０Ｂ，１０Ｃ，１０Ｄ…第２のコイル要素、１５…主磁極、１６Ａ…第１のシールド、２０…第１のコイル、２１Ａ，２２Ａ…第１のコイル要素、３０…第２の帰磁路部、４０…第１の帰磁路部、１００…媒体対向面、Ｓ１…第１の空間、Ｓ２…第２の空間。
【図１】
0005607681.tif 000002
【図２】
0005607681.tif 000003
【図３】
0005607681.tif 000004
【図４】
0005607681.tif 000005
【図５】
0005607681.tif 000006
【図６】
0005607681.tif 000007
【図７】
0005607681.tif 000008
【図８】
0005607681.tif 000009
【図９】
0005607681.tif 000010
【図１０】
0005607681.tif 000011
【図１１】
0005607681.tif 000012
【図１２】
0005607681.tif 000013
【図１３】
0005607681.tif 000014